(57)【特許請求の範囲】
【請求項１】
第１の合せ面を有する第１のプリズムと、
第２の合せ面を有する第２のプリズムと、
上記第１の合せ面及び上記第２の合せ面を対向させた状態で上記第１のプリズム及び上記第２のプリズムを対向する２方向から押圧固定することによつて、上記第１の合せ面及び上記第２の合せ面間にギヤツプを形成する押圧固定手段と
を具えることを特徴とする光学プリズム装置。
【請求項２】
上記押圧固定手段は、
上記第１のプリズムを保持する第１のホルダ部材と、
上記第２のプリズムを保持する第２のホルダ部材と、
上記第１のホルダ部材及び上記第２のホルダ部材間に設けられ、上記第１のホルダ部材及び上記第２のホルダ部材間を所定の距離を保った状態で固定することによつて上記ギヤツプを調整する調整部
を具えることを特徴とする請求項１に記載の光学プリズム装置。
【請求項３】
上記押圧固定手段は、
上記第１のプリズムを保持する第１のホルダ部材と、
上記第２のプリズムを保持する第２のホルダ部材と、
第１のホルダ部材に設けられた第１のねじ穴と、
第２のホルダ部材に設けられた第２のねじ穴と、
上記第１のねじ穴及び上記第２のねじ穴にねじ込まれることによつて上記第１のホルダ部材及び上記第２のホルダ部材を固定する第１のねじと
を具えることを特徴とする請求項１に記載の光学プリズム装置。
【請求項４】
上記調整部は、
第２のホルダ部材の上記第１のホルダ部材と対向する部分に設けられた第３のねじ穴と、
上記第３のねじ穴にねじ込まれると共に、上記第３のねじ穴へのねじ込深度を調整することにより、上記第１のホルダ部材及び上記第２のホルダ部材間の距離を変動させると共に当該変動された距離を保った状態で上記第１のホルダ部材及び上記第２のホルダ部材間を固定することによつて上記ギヤツプを調整する第２のねじと
を具えることを特徴とする請求項２に記載の光学プリズム装置。
【請求項５】
上記第１のホルダ部材は、
上記第１のプリズムにおける少なくとも１つの側面を覆う第１の側面部と、
上記第２のホルダ部材は、
上記第２のプリズムにおける少なくとも１つの側面を覆う第２の側面部と、
を具え、
上記第１の側面部と上記第２の側面部のうち少なくとも一対が対向して配置されている
ことを特徴とする請求項１に記載の光学プリズム装置。
【請求項６】
上記第１のプリズム及び上記第２のプリズムは、それぞれ三角柱形状でなる三角プリズムであり、上記第１のプリズムと上記第２のプリズムとによつて内部全反射プリズムを構成する
ことを特徴とする請求項１に記載の光学プリズム装置。
【請求項７】
上記第１のホルダ部材及び上記第２のホルダ部材は、
上記第１のプリズム及び上記第２のプリズムにおける光路となる以外の面をすべて覆うように形成されている
ことを特徴とする請求項６に記載の光学プリズム装置。
【請求項８】
光源より出射された出射光を少なくとも２色の分離光に変換し、上記分離光を各色光に応じた色画像信号で変調する鏡面空間光変調素子構成の各表示パネル上に照射し、上記各表示パネルを通じて得られる各色画像光を合成し、投射レンズを通じて拡大投射するプロジエクタ装置において、
第１のプリズムにおける第１の合せ面及び第２のプリズムにおける第２の合せ面を対向させた状態で対向する２方向から押圧することによつて、上記第１の合せ面及び上記第２の合せ面間にギヤツプを形成するプリズム装置を具え、
上記光学プリズム装置によつて上記表示パネルに対して入射光を導くと共に、上記表示パネルによつて反射される有効光を選択的に透過させるようにした
ことを特徴とするプロジエクタ装置。
【発明の詳細な説明】
【０００１】
【目次】
以下の順序で本発明を説明する。
産業上の利用分野
従来の技術
発明が解決しようとする課題
課題を解決するための手段
作用
実施例（図１〜図５）
（１）ＴＩＲプリズム装置（図１及び図２）
（２）ＴＩＲプリズム装置の応用例（図３〜図６）
発明の効果
【０００２】
【産業上の利用分野】
本発明は光学プリズム装置及びプロジエクタ装置に関し、例えば内部全反射プリズムに適用するもの若しくは、内部全反射プリズムを用いたプロジエクタ装置に適用して好適なものである。
【０００３】
【従来の技術】
従来、光学系において入射光をその入射角に応じて選択的に透過又は反射するための光学装置として例えばプリズムが用いられているが、その内の一つとして内部全反射(TIR:Total Internal Reflection) プリズムがある。ＴＩＲプリズムは、内部の空気とガラスの境界面に臨界角より大きい角度で入射された光が入射前の偏向状態に係わらず 100〔％〕反射される作用を有するので、この特性を利用して入射光と反射光を分離することができる。
【０００４】
このＴＩＲプリズムは例えば、鏡面偏光型光変調器でなるＤＭＤ（Digital Micromirror Device）表示パネルを用いたプロジエクタ装置等に用いられる。
ＴＩＲプリズムは、プロジエクタ装置においてＤＭＤ表示パネルに照射光を導くと共にＤＭＤ表示パネルによつて反射される光をプリズムに対する入射角に応じて分離し、有効光を選択するのに用いられる。
ＤＭＤ表示パネルは、画素に応じて平面状に配置した微小な鏡面素子（ＤＭＤ素子）の各々を画像信号に応じて制御し、有効光を反射させることによつて画像光変調するものである（特開昭60-179781 号公報、特開平3-40693 号公報、特開平3-174112号公報）。
【０００５】
ＴＩＲプリズムは２つの三角プリズムによつて形成されるが、非点収差を避けるために２つの三角プリズム間に薄い空気層（０以上、好ましくは２〜20〔μｍ〕以下）を形成することを必要としている。このように薄い空気層を形成するプリズムの構造としては、以下に述べるようなものがある。例えば、一方のプリズムの光学合せ面に蒸着等により形成する薄膜によつて、囲み領域を設け、この薄膜を間に挿んで他方のプリズムの光学合せ面を接着剤を用いて張り合わせる。これにより薄膜による囲み領域に空気層を形成するようにしたものである。
また薄膜の代わりに光学合せ面の光路部分に開口部を有する薄いスペーサを２つのプリズムの光学合せ面の間に挿入する。これにより２つのプリズム間に挿入されたスペーサの開口部に空気層を形成するようにしたものがある。
【０００６】
【発明が解決しようとする課題】
ところがかかる構成のＴＩＲプリズムは、２つのプリズムを接着するための接着剤が空気層へ浸透して、空気層の厚さ（ギヤツプ）を変化させてしまうという問題があつた。また２つのプリズムを共に固定した場合、熱膨張による応力が加わると、間に挿入したスペーサが変形して空気層のギヤツプを変化させるという問題があつた。このためＴＩＲプリズムを設置する際には片側のプリズムのみしか支持できず、取り扱いが面倒になるという問題があつた。さらに上述したような理由から空気層のギヤツプ制御が難しく、投射画像に非点収差を与えないように所定厚の空気層を形成し、かつそのギヤツプを一定に保つことが困難であるという問題があつた。
さらに空気層のギヤツプ制御が難しくかつ、取扱いが面倒なＴＩＲプリズムを用いたプロジエクタ装置は、非点収差等が発生し光学系を管理するのが難しいという問題があつた。
【０００７】
本発明は以上の点を考慮してなされたもので、簡易な構成により光学合せ面の間に安定した薄い空気層を形成することができる光学プリズム装置及びその光学プリズム装置を用いた光学系の管理の容易なプロジエクタ装置を提案しようとするものである。
【０００８】
【課題を解決するための手段】
かかる課題を解決するため本発明においては、第１の合せ面を有する第１のプリズムと、第２の合せ面を有する第２のプリズムと、第１の合せ面及び上記第２の合せ面を対向させた状態で第１のプリズム及び第２のプリズムを対向する２方向から押圧固定することによつて、第１の合せ面及び第２の合せ面間にギヤツプを形成する押圧固定手段とを備える。
【０００９】
また本発明においては、光源より出射された出射光を少なくとも２色の分離光に変換し、分離光を各色光に応じた色画像信号で変調する鏡面空間光変調素子構成の各表示パネル上に照射し、各表示パネルを通じて得られる各色画像光を合成し、投射レンズを通じて拡大投射するプロジエクタ装置において、第１のプリズムにおける第１の合せ面及び第２のプリズムにおける第２の合せ面を対向させた状態で対向する２方向から押圧することによつて押圧固定することによつて第１の合せ面及び第２の合せ面間にギヤツプを形成する光学プリズム装置によつて表示パネルに対して入射光を導くと共に、表示パネルによつて反射される有効光を選択的に透過させる。
【００１０】
【作用】
これにより、対向する２方向から押圧固定した時に第１のプリズム及び第２のプリズムが当接する位置で固定され、第１の合せ面及び第２の合せ面間にギヤツプが形成されるため、第１のプリズム及び第２のプリズムを押印固定するだけの操作によつて一定のギヤツプを安定して形成することができ、かくして簡易な構成により当該第１の合せ面及び当該第２の合せ面間に安定した薄い空気層を形成することができる。さらに安定した空気層の形成により非点収差のない良好な投射画像が得られる。
【００１１】
【実施例】
以下図面について、本発明の一実施例を詳述する。
【００１２】
（１）ＴＩＲプリズム装置
図１及び図２において１は全体として、本発明によるＴＩＲプリズム装置を示し、２つのプリズム２Ａ及び２Ｂを光学面でなる合せ面３Ａ及び３Ｂ同士で機械的に押しつけてプリズムを形成し、ホルダ４Ａ及び４Ｂによつて一体に保持して形成する。
プリズム２Ａ及び２Ｂは、それぞれ３つの光学面によつて形成される三角プリズムでなる。各プリズム２Ａ及び２Ｂは側面が三角形の光学ガラスを材質とした柱状部材でなる。
【００１３】
ＴＩＲプリズム装置１は、プリズム２Ａ及び２Ｂを張り合わせる合せ面３Ａ及び３Ｂの間に、合せ面３Ａ及び３Ｂの面精度に応じて薄い空気層を形成する。このＴＩＲプリズム装置１は、内部の空気とガラスの境界面に臨界角より大きい角度で入射された光を入射前の偏向状態に係わらず 100〔％〕反射する作用を有し、これにより入射光と反射光とを分離することができる。
【００１４】
次に２つのプリズム２Ａ及び２Ｂを保持するホルダ４Ａ及び４Ｂについて説明する。先ず、一方のプリズム２Ａを保持するホルダ４Ａは、プリズム２Ａ及び２Ｂに入射光を導くための開口部５が開けられた底面部６と、プリズム２Ａの側面部７を支持する側面部８とから形成されている。
またホルダ４Ａと対をなす他方のホルダ４Ｂは、ホルダ４Ａに上面部９の周辺端部に取り付けられたねじによつてねじ止めされる。ホルダ４Ｂは、上面部９によつてＴＩＲプリズム装置１を上面から固定すると共に、斜めに切られた側面部１０の斜辺部分１０Ａをホルダ４Ａの側面部８の内側の対応位置に設けられた斜めの段差部８Ａと当接させる。このときホルダ４Ａの側面部８の上端部に設けられた突起状のガイドピン１１がホルダ４Ｂの上面部９の周辺端部に設けられたガイド穴１２に嵌合され、これによりホルダ４Ａ及び４Ｂが一体に組み立てられる。
【００１５】
このようにして組み立てられるホルダ４Ａ及び４Ｂは、ホルダ４Ｂの上面部９のガイド穴１２の隣に取り付けられた密着用ねじ１３によつてホルダＡの側面部８の上端部に設けられたねじ穴１４にねじ止めされる。この結果、ホルダ４Ａ及び４Ｂ内に組み込まれたプリズム２Ａ及び２Ｂは、ホルダ４Ｂの上面部９とホルダ４Ａの底面部６との間で密着用ねじ１３の締めつけによつて押しつけられ固定される。また密着用ねじ１３の横には、ギヤツプを広げるために用いる調整用ねじ１５が設けられている。
【００１６】
さらにプリズム２Ａ及び２Ｂを側面から固定するためにプリズム２Ａ及び２Ｂの一方の側の側面部７とこれに対面するホルダ４Ａ及び４Ｂの一方の側の側面部８及び１０の間にそれぞれスペーサ（図示せず）を挿入する。各々のスペーサは、それぞれ側面部８の下部及び側面部１０の上部に設けられた３つのねじ穴１６からねじ（図示せず）によつて締め付けられ、これによりプリズム２Ａ及び２Ｂは反対側の側面部８及び１０に押しつけられ固定される。
このようにプリズム２Ａ及び２Ｂを間にして２つのホルダ４Ａ及び４Ｂを組み合わせ、密着用ねじ１３及び調整用ねじ１５によつて上下方向から締めることにより、両プリズム間のギヤツプをほぼ０〔μｍ〕に近づけた状態で固定することができる。
【００１７】
このようにして組み立てられたＴＩＲプリズム装置１は、接着剤等を使用していないため接着の工程が省かれ比較的安価に製作することができる。また、プリズム２Ａ及び２Ｂの周囲をホルダ４Ａ及び４Ｂによつて保護することによつて、プリズムの光学面に手指の油分等が付着しにくい。さらに光学面に手指の油分等が付着した場合でも容易に分解することができるので、溶剤等で洗浄することができ取り扱いが容易になる。
因みに投射画像に非点収差を与えない空気層のギヤツプは０〔μｍ〕以上、好ましくは２〜20〔μｍ〕以下とされているが、このＴＩＲプリズム装置１を用いることにより、空気層のギヤツプが安定して保たれるようになり、この結果、非点収差のない良好な投射画像が空気層のギヤツプ制御をせずとも得られる。
【００１８】
（２）ＴＩＲプリズム装置の応用例
図３〜図６において２０は、全体として本発明によるＴＩＲプリズム装置１を用いたプロジエクタ装置を示す。このプロジエクタ装置２０は、色分解ブロツクと色合成ブロツクからなる本体ブロツク２１と、光源を収納するランプブロツク２２とから構成される。
【００１９】
ランプブロツク２２には、高輝度白色光を出射する光源２３と、光源２３から出射されるプロジエクシヨン光Ｌ１を反射する折返し用ミラー２４が設置されている。このランプブロツク２２は板金によつて一体に構築され、内部は密閉され冷却システム（図示せず）により冷却されている。またこのランプブロツク２２のプロジエクシヨン光Ｌ１を出射する窓には不要な紫外線を取り除くためのＵＶ(Ultra Violet)フイルタ２５が設けられている。
ランプブロツク２２の位置は本体ブロツク２１の後部に設けられた位置決めするための位置決めピン２６によつて設定される。
【００２０】
本体ブロツク２１の中央部には各光学部品の取り付け基準となるメインベース２７が設けられると共に、この中央部で本体ブロツク２１が色分解ブロツク２１Ａと色合成ブロツク２１Ｂに二分されている。図５に示すように、メインベース２７には光軸方向にスライド移動して位置の調整可能なサブベース２８が取付けられている。このサブベース２８上には、ＴＩＲプリズム装置１を取り付けたプリズム取付け金具２９と、ＤＭＤ表示パネル３０（３０Ｒ、３０Ｂ、３０Ｇ）と、ＤＭＤ表示パネル３０の反射位置の位置合わせ機構である取り付けブロツク３１が設置されている。この取り付けブロツク３１には、色分解ブロツク２１Ａから出射される３色光Ｒ、Ｂ、ＧをＤＭＤ表示パネル３０Ｒ、３０Ｂ、３０Ｇに入射するＴＩＲプリズム装置１Ｒ、１Ｂ、１Ｇが配置されている。
【００２１】
ＤＭＤ表示パネル３０Ｒ、３０Ｂ、３０Ｇを取り付けた取付けブロツク３１（３１Ｒ、３１Ｇ、３１Ｂ）は、下端をサブベース２８に固定したプレート３２に支持され、それぞれ３枚の移動するプレート３３、３４及び３５が重ね合わせられることによつて形成される。それぞれのプレートは、プレート３２を基準にしてプレート３３が水平方向に移動し、プレート３４が垂直方向に移動し、プレート３５が回転方向に移動することによつて、ＤＭＤ表示パネル３０に入射する光の反射位置を調整する。
【００２２】
実際上、光源２３より出射されるプロジエクシヨン光Ｌ１は、ミラー２４で本体ブロツク２１の方向に折り曲げられ、ＵＶフイルタ２５で不要な紫外線が除去された後、本体ブロツク２１の色分解ブロツク２１Ａに入射される。色分解ブロツク２１Ａに入射されたプロジエクシヨン光Ｌ１は、コンデンサレンズ３６を通じて平行光に変換されて、折り返し用ミラー３７で折り曲げられて分解用ダイクロイツクミラー３８Ｒ、３８Ｂ、３８Ｇに照射される。
【００２３】
分解用ダイクロイツクミラー３８Ｒ、３８Ｂ、３８Ｇは、白色光でなるプロジエクシヨン光Ｌ１を赤色光ＬＲ、青色光ＬＢ及び緑色光ＬＧに分解する。この赤色光ＬＲ、青色光ＬＢ及び緑色光ＬＧは、ミラー３９Ｒ、３９Ｂ、３９Ｇにより斜め45 [°] 上方に折り曲げられる。赤色光ＬＲ、青色光ＬＢ及び緑色光ＬＧは、それぞれメインベース２７に設けられた開口窓４０Ｒ、４０Ｂ、４０Ｇを通つて、ＴＩＲプリズム装置１Ｒ、１Ｂ、１Ｇに導かれる。
【００２４】
ＴＩＲプリズム装置１Ｒ、１Ｂ、１Ｇで反射された光は20 [°] の角度をもつてＤＭＤ表示パネル３０Ｒ、３０Ｂ、３０Ｇの反射面に照射され、光空間変調されて後、リレーレンズ４１Ｒ、４１Ｂ、４１Ｇによつて拡大投射され、合成ダイクロイツクミラー４２Ｒ、４２Ｂ、４２Ｇを通つて仮想結像点Ａに結像される。このようにミラー３９Ｒ、３９Ｂ、３９Ｇからの入射光をＴＩＲプリズム装置１Ｒ、１Ｂ、１ＧによりＤＭＤ表示パネル３０Ｒ、３０Ｂ、３０Ｇに入射するようにしたことにより、位置合わせ機構における全体の光路長が短くなり、従つて位置合わせ機構全体を狭い範囲に配置することができる。
【００２５】
ＤＭＤ表示パネル３０Ｒ、３０Ｂ、３０Ｇは、それぞれ映像データの画素の配列（例えば768 ×576 個でなる）に応じて、例えば17〔μｍ〕角程度でなる微小鏡面素子が複数配列されて構成され、これにより1/2 インチＣＣＤ（固体撮像素子）と同程度の大きさの反射面が形成されている。この微小鏡面素子は映像データの画素の配列に応じたフレームメモリの各メモリセルに対応して配置され、各メモリセルの状態に応じて対応する微小鏡面素子の傾き状態がそれぞれ個別に変化するようになされている。
【００２６】
実際上、それぞれの微小鏡面素子は中立状態に対して、メモリセルがオン状態、すなわち画素として有効な場合に図６（Ａ）に示すように＋10 [°] 傾き、逆にメモリセルがオフ状態、すなわち画素として無効な場合に図６（Ｂ）に示すように＋10 [°] 傾くようになされている。これにより入射光に対して鏡面で反射される反射光が画像を形成するために必要な有効反射光と無効な無効反射光で20 [°] の光路差を有するように切換えられる。
【００２７】
このプロジエクタ装置１の場合、各ＤＭＤ表示パネル３０Ｒ、３０Ｂ、３０Ｇに応じたフレームメモリにそれぞれ赤、緑、青色の１フレーム分の映像データを設定することにより、有効反射光としてそれぞれ赤、緑、青色の映像光が形成される。この赤、緑、青色の映像光は対応するリレーレンズ４１Ｒ、４１Ｂ、４１Ｇによつて合成用ダイクロイツクミラー４２Ｒ、４２Ｂ、４２Ｇに導かれてカラー画像光として合成される。これがズームレンズ構成のプロジエクシヨンレンズ４３を通じてプロジエクタ装置１の外部に離れて配置されたスクリーン（図示せず）上に拡大投影される。
【００２８】
プロジエクタ装置２０では、このようにして仮想結像点Ａに結像された合成光をＤＭＤ表示パネル３０の取付けブロツク３１を操作して、ＤＭＤ表示パネル３０（３０Ｒ、３０Ｂ、３０Ｇ）を垂直方向、回転方向及び焦点方向に微小移動させることにより、仮想結像点Ａでの赤色光ＬＲ、青色光ＬＢ及び緑色光ＬＧのそれぞれの画像位置を補正することができる。
【００２９】
以上の構成において、光源２３から出射されたプロジエクシヨン光Ｌ１は、色分解ブロツク２１Ａに導かれ、分解用ダイクロイツクミラー３８Ｒ、３８Ｂ、３８Ｇによつて赤色光ＬＲ、青色光ＬＢ及び緑色光ＬＧに分解される。この赤色光ＬＲ、青色光ＬＢ及び緑色光ＬＧは、ミラー３９Ｒ、３９Ｂ、３９Ｇにより斜め45 [°] 上方に折り曲げられ、それぞれメインベース２７に設けられた開口窓４０Ｒ、４０Ｂ、４０Ｇを通つて、色合成ブロツク２１ＢのＴＩＲプリズム装置１Ｒ、１Ｂ、１Ｇに導かれる。
【００３０】
ＴＩＲプリズム装置１Ｒ、１Ｂ、１Ｇで反射された光は20 [°] の角度をもつてＤＭＤ表示パネル３０Ｒ、３０Ｂ、３０Ｇの反射面に照射され、光空間変調されれ再びＴＩＲプリズム装置１Ｒ、１Ｂ、１Ｇに入射される。このようにミラー３９Ｒ、３９Ｂ、３９Ｇからの入射光をＴＩＲプリズム装置１Ｒ、１Ｂ、１ＧによりＤＭＤ表示パネル３０Ｒ、３０Ｂ、３０Ｇに入射するようにしたことにより、位置合わせ機構における全体の光路長が短くなり、従つて位置合わせ機構全体を狭い範囲に配置することができる。
【００３１】
ＴＩＲプリズム装置１は、各ＤＭＤ表示パネル２Ｒ、３０Ｂ、３０Ｇによる空間光変調に応じて入射光を選択的に透過させる。すなわちＴＩＲプリズム装置１の境界面に図６（Ｂ）に示すように、臨界角より大きい角度で入射されるオフ状態の光を反射し、図６（Ａ）に示すように入射角０ [°] のオン状態の光を透過させる。
各色光の変調光はリレーレンズ４１Ｒ、４１Ｂ、４１Ｇによつて拡大投射され、合成ダイクロイツクミラー４２Ｒ、４２Ｂ、４２Ｇを通つて仮想結像点Ａで合成され、プロジエクシヨンレンズを経てスクリーン上に投射される。
【００３２】
以上の構成によれば、ＤＭＤ表示パネル３０Ｒ、３０Ｂ、３０Ｇを用いたプロジエクタ装置２０において、色分解された各色光をＴＩＲプリズム装置１Ｒ、１Ｂ、１Ｇを用いてＤＭＤ表示パネル３０Ｒ、３０Ｂ、３０Ｇに入射するようにしたことにより、位置合わせ機構における全体の光路長を短くし得、これにより位置合わせ機構全体を狭い範囲に配置することができる。
さらに上述の構成によれば、プリズム２Ａ及び２Ｂの周囲を機械的にホルダ４Ａ及び４Ｂ組み込んで形成したＴＩＲプリズム装置１を用いたことにより、容易に光学系内のＴＩＲプリズム装置１の配置を変えることができる。さらに機械的にホルダ４Ａ及び４Ｂ組み込んで形成したＴＩＲプリズム装置１は、接着剤等を用いていないので容易に分解して洗浄することができ、光学的に良好な状態を維持し得る。
【００３３】
また上述の構成によれば、ＴＩＲプリズム装置１を用いることにより、空気層のギヤツプが安定して保たれるようになり、非点収差のない良好な投射画像が空気層のギヤツプ制御をせずとも得られ、プロジエクタ装置２０において光学系を調整する手間を大幅に省くことができる。
【００３４】
なお上述の実施例においては、２つのプリズム２Ａ及び２Ｂをホルダ４Ａ及び４Ｂ間に組み込んで張り合わせ、双方が動かぬように固定した場合について述べたが、本発明はこれに限らず、ＴＩＲプリズム装置１を形成する２つのプリズムをホルダ４Ａ及び４Ｂの斜辺部１０Ａと段差部８Ａに沿つてスライドさせ、互いの合せ面３Ａ及び３Ｂ同士に沿つて移動できるようにしても良い。これによりＤＭＤ表示パネルの取り付け位置を固定した状態で２つのプリズムの厚さを微小に変化させ、ＤＭＤ表示パネルからリレーレンズ、プロジエクシヨンレンズ間での実効光路長を変えることにより倍率を調整し、画像合わせの際に各色光の画像の大きさを調整をすることができる。
【００３５】
また上述の実施例においては、光源２３から照射される白色光を３色光に分解するＤＭＤ表示パネルを用いたプロジエクタ装置２０について述べたが、本発明はこれに限らず、白色光を少なくとも２色光に分解するプロジエクタ装置であれば良い。
【００３６】
また上述の実施例においては、２つのプリズムを用いてＴＩＲプリズムを形成した場合について述べたが、本発明はこれに限らず、薄い空気層をプリズムの合せ面同士の間に形成することを必要とするプリズム装置一般について適用し得る。
【００３７】
さらに上述の実施例においては、ＤＭＤ表示パネル３０を光空間変調器として用いたプロジエクタ装置４０及び５０について述べたが、本発明はこれに限らず、例えば透過型液晶表示パネル又は反射型液晶表示パネル等を用いたプロジエクタ装置に用いても良い。
【００３８】
【発明の効果】
上述のように本発明によれば、対向する２方向から押圧固定した時に第１のプリズム及び第２のプリズムが当接する位置で固定され、第１の合せ面及び第２の合せ面間にギヤツプが形成されるため、第１のプリズム及び第２のプリズムを押印固定するだけの操作によつて一定のギヤツプを安定して形成することができ、かくして簡易な構成により当該第１の合せ面及び当該第２の合せ面間に安定した薄い空気層を形成することができる光学プリズム装置が得られる。
さらに安定した空気層を形成した当該２つのプリズムを用いた光学プリズム装置を用いることにより、非点収差のない光学系の管理の容易なプロジエクタ装置を実現し得る。
【図面の簡単な説明】
【図１】本発明によるＴＩＲプリズム装置のホルダの斜視図（図１（Ａ））及び（図１（Ｃ））、及びプリズムの斜視図（図１（Ｂ）を示す略線図である。
【図２】図１のＴＩＲプリズム装置の正面図（図２（Ａ））及び側面図（図２（Ｂ））を示す略線図である。
【図３】本発明による鏡面偏光型光変調器を用いたプロジエクタ装置の側面図（図３（Ａ））、上面図（図３（Ｂ）及び側面図（図３（Ｃ））を示す略線図である。
【図４】図３の本体ブロツクの背面図を示す略線図である。
【図５】メインベース上に取り付けたＴＩＲプリズム装置及び位置合わせ機構の正面図を示す略線図である。
【図６】鏡面偏向型光変調器のＤＭＤ素子の動作の説明に供する略線図である。
【符号の説明】
１……ＴＩＲプリズム装置、１Ｒ、１Ｂ、１Ｇ……ＴＩＲプリズム、２Ａ、２Ｂ……プリズム、４Ａ、４Ｂ……ホルダ、５……開口部、６……底面部、７、８、１０……側面部、９……上面部、１１……ガイドピン、１２……ガイド穴、１３……密着用ねじ、１５……調整用ねじ、２０……プロジエクタ装置、２１……本体ブロツク、２１Ａ……色分解ブロツク、２１Ｂ……色合成ブロツク、２２……ランプブロツク、２３……光源、２４、３７、３９Ｒ、３９Ｂ、３９Ｇ……ミラー、２５……ＵＶフイルタ、２６……位置決めピン、２７……メインベース、３０Ｒ、３０Ｂ、３０Ｇ……ＤＭＤ表示パネル、３８Ｒ、３８Ｂ、３８Ｇ……分離用ダイクロイツクミラー、４０Ｒ、４０Ｂ、４０Ｇ……開口窓、４１……位置決めピン、４１Ｒ、４１Ｂ、４１Ｇ……リレーレンズ、４２Ｒ、４２Ｂ、４２Ｇ……合成用ダイクロイツクミラー、４３……プロジエクシヨンレンズ。
【図１】
0003789512.tif 000002
【図２】
0003789512.tif 000003
【図３】
0003789512.tif 000004
【図４】
0003789512.tif 000005
【図６】
0003789512.tif 000006
【図５】
0003789512.tif 000007